(57)【要約】【課題】縁取りが美しくて屋根曲面の体型にフィットした外観がシンプルで見栄え良く、外観的にもスッキリとまとめることができる曲がり屋根に瓦を敷設する方法を提供すること。【解決手段】屋根の軒先Ｅおよび／または螻羽Ｖの周縁近傍に沿って外周瓦桟２を設置し、外周瓦列を形成し、然る後、軒先Ｅから棟部Ｒに沿って、所定間隔に下地瓦桟３・３…を次々と設置し、下段の下地瓦桟３から順に、瓦１・１…の下縁１２・１２…が連続的に揃うように並置せしめる一方、屋根湾曲面による下地瓦桟３の曲がり設置箇所においては其処に固定されるべき瓦１の少なくとも一方の側縁に末広がりな幅寄部１４を形成し、同一の段列に並ぶ瓦１・１…の下縁１２・１２…が連続的に揃うように並置して敷き詰めていき、こうして軒先Ｅから棟部Ｒに向かって各段に順次敷き詰めて瓦列を形成する。【選択図】  図１２
2005023629.tif 000002
【特許請求の範囲】
【請求項１】
屋根表面の全体または少なくとも一部に湾曲面を有する曲がり屋根において、屋根の瓦桟への固定部１１を上縁に備えた平板四角形状の瓦１・１…を敷設する方法であって、
屋根の軒先Ｅおよび／または螻羽Ｖの周縁近傍に沿って外周瓦桟２を設置し、次いで、この外周瓦桟２において、瓦１・１…の下縁１２・１２…が連続的に揃うように並置して敷き詰めることによって外周瓦列を形成し、
然る後、軒先Ｅから棟部Ｒに沿って、所定間隔に下地瓦桟３・３…を次々と設置し、下段の下地瓦桟３から順に、瓦１・１…の下縁１２・１２…が連続的に揃うように並置せしめる一方、屋根湾曲面による下地瓦桟３の曲がり設置箇所においては其処に固定されるべき瓦１の少なくとも一方の側縁に末広がりな幅寄部１４を形成し、同一の段列に並ぶ瓦１・１…の下縁１２・１２…が連続的に揃うように並置して敷き詰めていき、こうして軒先Ｅから棟部Ｒに向かって各段に順次敷き詰めて瓦列を形成することによって、屋根曲面の体型にフィットした外観を呈するようにしたことを特徴とする曲がり屋根に瓦を敷設する方法。
【請求項２】
少なくとも左右一方の側縁に、樋溝１３ａを有する排水耳片１３が持出成形された瓦１を使用し、突き合わせた瓦１・１の間に当該排水耳片１３が配置されることにより、これらの瓦の隙間に滴る水を前記樋溝１３ａに沿って排水可能にすることを特徴とする請求項１記載の曲がり屋根に瓦を敷設する方法。
【請求項３】
屋根下地に防水シートを敷設し、その上から外周瓦残２および／または下地瓦残３を設置することを特徴とする請求項１または２記載の曲がり屋根に瓦を敷設する方法。
【請求項４】
瓦１の少なくとも一方の側縁を切断して、末広がりな幅寄部１４を形成することを特徴とする請求項１〜３の何れか一つに記載の曲がり屋根に瓦を敷設する方法。
【請求項５】
上面に排水スリット１５が形成された瓦１を使用することを特徴とする請求項１〜４の何れか一つに記載の曲がり屋根に瓦を敷設する方法。
【請求項６】
赤茶色または緑青色に形成した瓦１を使用することを特徴とする請求項１〜５の何れか一つに記載の曲がり屋根に瓦を敷設する方法。
【発明の詳細な説明】
【０００１】
【発明の属する技術分野】
本発明は、建築技術の改良、更に詳しくは、そり屋根や唐破風屋根、入母屋屋根などの湾曲面を有する屋根において、縁取りが美しくて屋根曲面の体型にフィットした外観がシンプルで見栄え良く、外観的にもスッキリとまとめることができる曲がり屋根に瓦を敷設する方法に関するものである。
【０００２】
【従来の技術】
屋根の瓦葺きの施工作業は、通常の平坦な屋根であるならば、些程困難なことではない。ところが、古代和風建築における屋根には、そり屋根や唐破風（からはふ）屋根、入母屋（いりもや）屋根（以下、曲がり屋根という）といった、屋根表面の全体または少なくとも一部に湾曲面を有するものがあって、特に、唐破風屋根については、上半分が凸曲面で下半分が凹曲面の形状（特許文献１参照）を呈しており、平坦なものに比べると複雑な構造であるが、その荘重さ故に、古来より和風建築物の門や庇などに積極的に用いられている。
【０００３】
そこで、このような曲がり屋根においては、表面の湾曲面に合わせながら被覆物を施工せねばならないため、檜皮葺きや藁葺き、銅板葺きが多く、仮に、曲がり屋根に瓦を敷設する場合には、瓦の収まりが悪くて収拾をつけるのが難しい上に、屋根独特のシルエットを損なってしまい、外観上を見栄え良く仕上げることが困難であるという不満がある。
【０００４】
【特許文献１】
実開昭６３−１８００９８号公報  （第４頁、第８図）
【０００５】
【発明が解決しようとする課題】
本発明は、そり屋根や唐破風屋根、入母屋屋根などの湾曲面を有する屋根において瓦を敷設する際に上記のような不満があったことに鑑みて為されたものであり、その目的とするところは、縁取りが美しくて屋根曲面の体型にフィットした外観がシンプルで見栄え良く、外観的にもスッキリとまとめることができる曲がり屋根に瓦を敷設する方法を提供することにある。
【０００６】
【課題を解決するための手段】
本発明者が上記課題を解決するために採用した手段を添付図面を参照して説明すれば次のとおりである。
【０００７】
即ち、本発明は、屋根表面の全体または少なくとも一部に湾曲面を有する曲がり屋根において、屋根の瓦桟への固定部１１を上縁に備えた平板四角形状の瓦１・１…を敷設する方法であって、
屋根の軒先Ｅおよび／または螻羽Ｖの周縁近傍に沿って外周瓦桟２を設置し、次いで、この外周瓦桟２において、瓦１・１…の下縁１２・１２…が連続的に揃うように並置して敷き詰めることによって外周瓦列を形成し、
然る後、軒先Ｅから棟部Ｒに沿って、所定間隔に下地瓦桟３・３…を次々と設置し、下段の下地瓦桟３から順に、瓦１・１…の下縁１２・１２…が連続的に揃うように並置せしめる一方、屋根湾曲面による下地瓦桟３の曲がり設置箇所においては其処に固定されるべき瓦１の少なくとも一方の側縁に末広がりな幅寄部１４を形成し、同一の段列に並ぶ瓦１・１…の下縁１２・１２…が連続的に揃うように並置して敷き詰めていき、こうして軒先Ｅから棟部Ｒに向かって各段に順次敷き詰めて瓦列を形成することによって、屋根曲面の体型にフィットした外観を呈するようにするという技術的手段を採用した。
【０００８】
また、本発明は、上記課題を解決するために、必要に応じて上記手段に加え、少なくとも左右一方の側縁に、樋溝１３ａを有する排水耳片１３が持出成形された瓦１を使用し、突き合わせた瓦１・１の間に当該排水耳片１３が配置されることにより、これらの瓦の隙間に滴る水を前記樋溝１３ａに沿って排水可能にするという技術的手段を採用した。
【０００９】
更にまた、本発明は、上記課題を解決するために、必要に応じて上記手段に加え、屋根下地に防水シートを敷設し、その上から外周瓦残２および／または下地瓦残３を設置するという技術的手段を採用した。
【００１０】
更にまた、本発明は、上記課題を解決するために、必要に応じて上記手段に加え、瓦１の少なくとも一方の側縁を切断して、末広がりな幅寄部１４を形成するという技術的手段を採用した。
【００１１】
更にまた、本発明は、上記課題を解決するために、必要に応じて上記手段に加え、上面に排水スリット１５が形成された瓦１を使用するという技術的手段を採用した。
【００１２】
更にまた、本発明は、上記課題を解決するために、必要に応じて上記手段に加え、赤茶色または緑青色に形成した瓦１を使用するという技術的手段を採用し
た。
【００１３】
【発明の実施の形態】
本発明の実施形態を具体的に図示した図面に基いて更に詳細に説明すると次のとおりである。
【００１４】
『第１実施形態』
本発明の第１実施形態を図１から図７に基いて説明する。図中、符号１で指示するものは瓦であり、この瓦１の上縁には屋根の瓦桟への固定部１１を上縁に備えており、平板四角形状に形成されている。本実施形態における固定部１１は、瓦桟への釘孔として形成されており、また、少なくとも左右一方の側縁に、樋溝１３ａを有する排水耳片１３が持出成形されており、更に、上面には排水スリット１５が形成されている（図１参照）。
【００１５】
また、符号２で指示するものは外周瓦桟であり、符号３で指示するものは下地瓦桟である。これらの瓦桟には角木材を採用する（図２参照）。
【００１６】
しかして、本実施形態においては、屋根表面の全体に湾曲面を有する入母屋屋根において、屋根の瓦桟への固定部１１を上縁に備えた平板四角形状の瓦１・１…を敷設する方法の手順を以下に説明する。
【００１７】
まず、図２に示すように、屋根の軒先Ｅの周縁近傍に沿って外周瓦桟２を設置し、次いで、この外周瓦桟２において、瓦１・１…の下縁１２・１２…が連続的に揃うように並置して敷き詰めることによって外周瓦列を形成する。本実施形態においては、瓦１の固定部１１における止め具として釘を使用し、瓦桟に打ち込んで固定することができる。また、螻羽Ｖにおいても、上記同様の手順により外周瓦列を形成することができる（図３参照）。
【００１８】
本実施形態では、少なくとも左右一方の側縁に、樋溝１３ａを有する排水耳片１３が持出成形された瓦１を使用し、突き合わせた瓦１・１の間に当該排水耳片１３が配置されることにより、これらの瓦の隙間に滴る水を前記樋溝１３ａに沿って排水可能である。
【００１９】
また、図示しないが、防水対策としては、屋根下地に防水シートを敷設し、その上から外周瓦残２および／または下地瓦残３を設置することもできる。
【００２０】
然る後、図４に示すように、軒先Ｅから棟部Ｒに沿って、所定間隔に下地瓦桟３・３…を次々と設置し、下段の下地瓦桟３から順に、瓦１・１…の下縁１２・１２…が連続的に揃うように並置せしめる（図５参照）。
【００２１】
この際、屋根湾曲面による下地瓦桟３の曲がり設置箇所においては、其処に固定されるべき瓦１の少なくとも一方の側縁に末広がりな幅寄部１４を形成し、同一の段列に並ぶ瓦１・１…の下縁１２・１２…が連続的に揃うように並置して敷き詰めていく。なお、瓦１の少なくとも一方の側縁を切断して、末広がりな幅寄部１４を形成することも可能である（図６および７参照）。
【００２２】
こうして軒先Ｅから棟部Ｒに向かって各段に順次敷き詰めて瓦列を形成することによって、屋根曲面の体型にフィットした外観を呈するように完成させることができるのである（図８参照）。
【００２３】
『第２実施形態』
本発明の第２実施形態を図９から図１２に基いて説明する。本実施形態においては、屋根表面の一部に湾曲面を有する唐破風屋根において、瓦１・１…を敷設する方法の手順を以下に説明する。
【００２４】
まず、本実施形態においても、第１実施形態と同様に、図９に示すように、屋根の軒先Ｅの周縁近傍に沿って外周瓦桟２を設置し、次いで、この外周瓦桟２において、瓦１・１…の下縁１２・１２…が連続的に揃うように並置して敷き詰めることによって外周瓦列を形成する（図１０参照）。
【００２５】
然る後、所定間隔に下地瓦桟３・３…を次々と設置し、下段の下地瓦桟３から順に、瓦１・１…の下縁１２・１２…が連続的に揃うように並置せしめる（図１１参照）。
【００２６】
この際、第１実施形態同様に、屋根湾曲面による下地瓦桟３の曲がり設置箇所においては、其処に固定されるべき瓦１の側縁を適宜テーパ形に切断して、瓦１・１…の下縁１２・１２…が連続的に揃うように並置して敷き詰めていく。
【００２７】
こうして軒先Ｅ各段に順次敷き詰めて瓦列を形成することによって、屋根曲面の体型にフィットした外観を呈するように完成させることができるのである（図１２参照）。
【００２８】
本発明は概ね上記のように構成されるが、本発明は図示の実施形態に限定されるものでは決してなく、「特許請求の範囲」の記載内において種々の変更が可能であって、例えば、敷設する瓦１は、赤茶色または緑青色に形成した瓦１を使用することができ、その色合いにより、恰も銅板を敷き詰めたような風格のある印象を与えることができる。
【００２９】
また、瓦１は固定部１１に止め具として釘を使用して瓦桟などに打ち込んで固定したり、番線などの針金部材あるいは紐を挿通して瓦桟に結束して固定しても良い。更にまた、本発明の敷設方法は、むくり屋根やそり屋根などの曲がり屋根においても当然使用することができ、何れのものも本発明の技術的範囲に属する。
【００３０】
【発明の効果】
以上、実施形態をもって説明したとおり、本発明においては、そり屋根や唐破風屋根、入母屋屋根などの湾曲面を有する曲がり屋根において、屋根形状に巧みに調和させながら平板四角形状を敷設していくことによって、縁取りが美しくて屋根曲面の体型にフィットした外観がシンプルで見栄え良く、外観的にもスッキリとまとめることができることから、実用的利用価値は頗る高いものがあると云える。
【図面の簡単な説明】
【図１】本発明の第１実施形態に使用する瓦を表わす全体斜視図である。
【図２】本発明の第１実施形態の施工手順を表わす説明斜視図である。
【図３】本発明の第１実施形態の施工手順を表わす説明斜視図である。
【図４】本発明の第１実施形態の施工手順を表わす説明斜視図である。
【図５】本発明の第１実施形態の施工手順を表わす説明斜視図である。
【図６】本発明の第１実施形態の螻羽付近を表わす部分拡大斜視図である。
【図７】本発明の第１実施形態の屋根の曲がり設置箇所において固定される瓦を表わす全体斜視図である。
【図８】本発明の第１実施形態の施工完成を表わす説明斜視図である。
【図９】本発明の第２実施形態の施工手順を表わす説明斜視図である。
【図１０】本発明の第２実施形態の施工手順を表わす説明斜視図である。
【図１１】本発明の第２実施形態の施工手順を表わす説明斜視図である。
【図１２】本発明の第２実施形態の施工完成を表わす説明斜視図である。
【符号の説明】
１    瓦
１１  固定部
１２  下縁
１３  排水耳片
１３ａ  樋溝
１４  幅寄部
１５  排水スリット
２    外周瓦桟
３    下地瓦桟
Ｅ    軒先
Ｖ    螻羽
Ｒ    棟部
【図１】
2005023629.tif 000003
【図２】
2005023629.tif 000004
【図３】
2005023629.tif 000005
【図４】
2005023629.tif 000006
【図５】
2005023629.tif 000007
【図６】
2005023629.tif 000008
【図７】
2005023629.tif 000009
【図８】
2005023629.tif 000010
【図９】
2005023629.tif 000011
【図１０】
2005023629.tif 000012
【図１１】
2005023629.tif 000013
【図１２】
2005023629.tif 000014